(57)【特許請求の範囲】
【請求項１】
巻芯に巻き付けられたロール状物の両方の端面において、前記巻芯を保持して該ロール状物を宙吊り状態に保持するための紙製の宙吊り用部材であって、１枚の段ボールシートを折り曲げて重ね合わせた側板と、該側板の略中央の切り抜き部に挿入された前記巻芯を保持する保持軸と、前記側板の重ね合わされた段ボールシートの間に挿入された板紙とから少なくとも構成され、前記板紙の一部が前記保持軸の切り込み部に嵌入せしめられ、前記板紙と前記側板を構成する段ボールシートが接着剤で固定されたことを特徴とするロール状物の紙製宙吊り用部材。
【発明の詳細な説明】
【０００１】
【発明の属する技術分野】
本発明は、感光材料等のロール状物を宙吊り状態に保持するための紙製の宙吊り用部材に関する。
【０００２】
【従来の技術】
ロール状物を直に置いた場合、その自重によって局所的に集中荷重がかかり、ロール状物の変形、局部的な損傷等が生じるという問題がある。特に数十μｍ〜数百μｍの厚みのプラスチックフィルムやアルミ箔等のロール状物、及び外的な圧力によってカブリ等の品質損傷を招き易い感光材料は、上記問題は深刻である。従って、その保管及び輸送時の包装形態に工夫がなされている。
【０００３】
例えば、外装箱とロール状物の空隙に発泡樹脂等の緩衝材を入れることが従来から一般的に行われているが、手間がかかる割に効果は充分ではなかった。そこで、感光材料等のロール状物に対しては、宙吊りにする方法が採用されるようになってきた。
【０００４】
図８は外装箱（図示しない）の中でのロール状物の宙吊り状態を示す解体斜視図である。ロール状物１１の両方の端面において、巻芯１２の中空部に挿入されて巻芯を保持する保持軸１３と、該保持軸１３を固定する側板１４とからなる宙吊り用部材１５によって、ロール状物１１は宙吊り状態に保持される形態になっている。
【０００５】
従来、この宙吊り用部材は、保持軸と側板を一体的に、プラスチック樹脂で成形したものが用いられているが、コスト（成形用金型等の費用を含むランニングコスト）が高いという問題、及びプラスチック樹脂の廃棄に関わる環境上の問題があった。
【０００６】
このような状況下にあって、紙製宙吊り用部材が検討されており、例えば、特開平１０−１８１７８９号公報では、段ボールを重ね合わせた紙製宙吊り用部材が提案されている。この紙製宙吊り用部材は、強度面では前記プラスチック樹脂成型品と同程度の強さを有するが、側板と保持軸の固定が十分でなく、それに起因する問題が起こった。保持軸と側板の固定状態が十分でない場合、保持軸の回転（円筒形保持軸の場合）、保持軸のずれや抜け、あるいは保持軸に傾きが生じ、輸送時や取り扱い時にロール状物の宙吊りが安定的に維持できないという問題が起こった。特に、保持軸は側板に対して垂直に固定されていることが重要であるが、固定が不十分の場合、保持軸が傾きを生じ、宙吊り状態を維持できなくなる。
【０００７】
また、上記特開公報に開示された宙吊り用部材は、側板の外側で固定補助部材を用いて保持軸が固定されているが、外装箱に収納した場合、側板の側面から突出した固定補助部材が外装箱内での側板と外装箱内面との密着性を阻害し、輸送時の振動等によって宙吊り用部材が移動したり傾いたりして安定状態での宙吊りに問題が生じることがあった。このような問題は、特に次のようなケースにおいて深刻であった。即ち、外装箱の汎用使用の立場から、同一寸法の外装箱に各種サイズのロール状物を収納する場合があるが、この場合、発泡スチロール等のスペーサーが宙吊り用部材と外装箱内面との間に挿入される。このケースにおいて、側板から突出した固定補助部材の圧力によって発泡スチロールは変形あるいは削り取られ、スペーサーとしての役目を果たさなくなり、宙吊り用部材の移動や傾きによって、宙吊り用部材の保持軸がロール状物の巻芯から外れたり、ロール状物や巻芯あるいは明室装填用感光材料のフランジに損傷を与えるという不都合が生じた。
【０００８】
【発明が解決しようとする課題】
従って、本発明の目的は、上記問題を解消し、外装箱内でのロール状物の宙吊り状態をより安定に保持することができるロール状物の紙製宙吊り用部材を提供することにある。
【０００９】
【課題を解決するための手段】
本発明の上記目的は、巻芯に巻き付けられたロール状物の両方の端面において、前記巻芯を保持して該ロール状物を宙吊り状態に保持するための紙製の宙吊り用部材であって、１枚の段ボールシートを折り曲げて重ね合わせた側板と、該側板の略中央の切り抜き部に挿入された前記巻芯を保持する保持軸と、前記側板の重ね合わされた段ボールシートの間に挿入された板紙とから少なくとも構成され、前記板紙の一部が前記保持軸の切り込み部に嵌入せしめられ、前記板紙と前記側板を構成する段ボールシートが接着剤で固定されたことを特徴とするロール状物の紙製宙吊り用部材によって達成された。
【００１０】
【発明の実施の形態】
以下、本発明を詳細に説明する。図１は、本発明の宙吊り用部材の一実施態様を示す正面図、図２は側面図である。図３は側板の展開図、図４は保持軸と板紙の接合状態を示す斜視図、図５は保持軸の斜視図、図６は板紙の平面図である。本発明の宙吊り用部材は、少なくとも側板１、保持軸２及び板紙３からなる。側板１のサイズ及び形状は、外装箱のそれに合わせることが好ましく、一般的には正方形である。
【００１１】
ロール状物の巻芯を保持するための保持軸２は、側板１の略中央部に設けられた保持軸２とほぼ同形の円形切り抜き部１ａに挿入される。ここで側板１は段ボール、保持軸２はクラフトパルプ等を用いた円筒形の紙製巻芯（紙管）で成形されている。
【００１２】
図３ａは側板１を構成する１枚の段ボールシートの展開図である。点線１ｂは、段ボールシートを折り曲げるための罫線であり、この罫線１ｂに沿って折り曲げて略正方形の側板１を形成する。段ボールシート両端の半円切り欠き部１ｃは、段ボールシートを折り曲げて重ね合わせたときに中央の円形切り抜き部１ａに相当する。罫線１ｂは、深さ０．５〜１ｍｍ程度、幅１．１〜３ｍｍ程度で設けるのが好ましく、折り曲げ方向とは反対面に設けるのがよい。本発明において、側板１を構成する段ボールシートは、図７に示すような複両面段ボールが好ましい。
【００１３】
上記段ボールシートにおいて、罫線と罫線の間隔Ｙは、段ボールシートを折り曲げて重ね合わせたとき、図２に示すように板紙３及び好ましくは更に段ボールシート４を挿入できる程度のすき間を形成するためのものである。ここで、段ボールシート４は、本発明において必須ではいが、宙吊りするロール状物の重量が大きい場合（例えば３ｋｇ以上）は、用いるのが好ましい。
【００１４】
側板１を構成する１枚の段ボールシート展開図の別の態様を図３ｂに示す。図３ａは２重の重ね合わせであるが、図３ｂは３重の重ね合わせの態様で、その他は図３ａと同様である。
【００１５】
図４は、保持軸２と板紙３の接合状態を示す斜視図である。保持軸２を側板１に挿入するのに先立って、保持軸２と板紙３を接合する。図５及び図６ａに示すように、保持軸２には、切り込み部２ａが設けられており、この切り込み部２ａに板紙の一部３ａが嵌入されて接合される。保持軸２と板紙３が接合しやすいように、板紙３には切り込み３ｂが設けられている。また、更に両者の接合を容易にするために、図６ｂに示すように板紙３を斜め方向あるいは垂直方向に２つに分離した状態で接合してもよい。更に３以上に分離してもよい。板紙３を分離する態様の場合は、分離した片のそれぞれに保持軸２の切り込み部２ａに嵌入する板紙の一部３ａを有することが重要である。
【００１６】
保持軸２の切り込み部２ａと板紙３の一部３ａの嵌入の組み合わせは、１個のみであってもよいが、２以上であることが好ましい。２以上の場合、対向する位置に設けるのが好ましい。図５において、切り込み部２ａは円筒形の保持軸２を貫通するように設けられているが、前述したように保持軸２が紙製巻芯（紙管）の場合、その肉厚（厚み）が厚い場合は、貫通しない程度に切り込まれていてもよい。保持軸２をより安定的に板紙３に固定するという点で、切り込み部２ａは保持軸２を貫通するように設け、保持軸２の中空内部に板紙３の一部３ａが突出するように嵌入することが好ましい。
【００１７】
本発明は、１枚の段ボールシートを折り曲げて重ね合わせた側板の段ボールシートと段ボールシートの間に挿入された板紙で保持軸を固定することを特徴としており、更にその固定手段に特徴を有するものである。このような保持軸の固定手段を用いることによって、側板に対して保持軸の保持角度を垂直状態に安定的に保つことができ、また保持軸の回転、ずれや抜けといった不都合が解消される。従って、板紙はある程度の強度が必要であり、厚みが１ｍｍ以上が好ましく、特に１．５〜４ｍｍ程度が好ましい。板紙の形及びサイズは、側板のそれと同程度であることが好ましく、この場合略正方形である。
【００１８】
また、図２に示すように、側板１に対して、ロール状物の巻芯を保持する側とは反対面に保持軸２が多く突出しないようにすることが重要である。突出しても数ｍｍ以内とする。その意味において、図４における保持軸２が板紙３から突出する長さＬは、側板を構成する段ボールシートの厚みと同程度かそれ以下にすることが好ましい。また、図２における段ボールシート４を板紙３に対して反対側に挿入する場合は、前記突出長さＬは、側板から突出しない程度に長くすることができる。図２に示す段ボールシート４は、板紙３に対して両側に挿入することもできる。
【００１９】
本発明において、板紙３はその両面もしくは片面を側板１と接着剤で固定するのが好ましく、両面を固定するのがより好ましい。前述したように板紙３と側板１の間に段ボールシート４が介在する場合は、それぞれの間を接着剤で固定する。
【００２０】
次に、上記宙吊り用部材を作製する手順について説明する。図３の段ボールシート１を展開図の状態で、段ボールシート４を接着剤で貼り合わす。図４のように予め保持軸２と板紙３を接合した状態で、その保持軸２を段ボールシート１の円形切り抜き部１ａに段ボールシート４側から挿入し、段ボールシート４と板紙３を接着剤で貼り合わす。次に段ボールシート１（展開図）をその罫線１ｂに沿って折り曲げ重ね合わせ、板紙３と接着剤で貼り合わせて完成する。
【００２１】
本発明の宙吊り用部材に用いられる保持軸は、ロール状物の巻芯が円筒状である場合が一般的であり、従って前述したように円筒形の紙管を用いるのが都合がよいが、ロール状物の巻芯の中空部に挿入できる形状であれば、保持軸の形状は特に制限されず、矩形、三角形等を用いることができる。
【００２２】
【実施例】
次に、本発明の紙製宙吊り用部材の優位性について、実用試験の結果を基に説明する。
【００２３】
実施例１
下記の２種類の宙吊り用部材を作成した。
Ａ（本発明）：図１〜６の構成からなる紙製宙吊り用部材。
Ｂ（比較例）：特開平１０−１８１７８９号公報の実施例１に記載の紙製宙吊り用部材。
【００２４】
ロール状物として、幅８１２ｍｍ、巻長さ６１ｍの写真感光フィルム材料（重量は約８Ｋｇ）を、外装箱内に上記宙吊り用部材を用いてロール状物を宙吊り状態で包装した。この包装体を本発明及び比較例ともにそれぞれ２０個づつ用意した。
【００２５】
上記２種類（４０個）について、落下テスト（ＪＩＳ−Ｚ０２０２に準じる）及び振動テスト（ＪＩＳ−Ｚ０２３２に準じる）を行った。その結果、本発明Ａは、２０個ともロール状物が宙吊り状態で確実に保持されていたが、比較例Ｂは２０個中１０個が保持軸の傾き、ずれ等によって、ロール状物を宙吊り状態に保持できていなかった。
【００２６】
実施例２
実施例１と同様に本発明Ａと比較例Ｂの宙吊り用部材を用意した。ロール状物として、幅５０８ｍｍ、巻長さ６１ｍの写真感光フィルム材料（重量は約５Ｋｇ）を、外装箱内に上記宙吊り用部材を用いてロール状物を宙吊り状態で包装した。外装箱に収納する際、宙吊り用部材の側板と外装箱内面との間に、空隙を埋めるための厚さ１．５ｃｍの発泡スチロールシート（スペーサー）をそれぞれ挿入した。
【００２７】
上記２種類について、落下テスト（ＪＩＳ−Ｚ０２０２に準じる）及び振動テスト（ＪＩＳ−Ｚ０２３２に準じる）を行った。その結果、本発明Ａは、ロール状物が宙吊り状態で確実に保持されていたが、比較例Ｂは発泡スチロールシートが変形し、宙吊り用部材が傾き、ロール状物を宙吊り状態に保持できていなかった。
【００２８】
【発明の効果】
本発明の紙製のロール状物宙吊り用部材を用いることによって、より安定にロール状物を宙吊り状態で維持することができる。
【図面の簡単な説明】
【図１】本発明の宙吊り用部材の正面図。
【図２】同側面図。
【図３】本発明の宙吊り用部材の側板の展開図。
【図４】本発明の宙吊り用部材の保持軸と板紙の接合状態の斜視図。
【図５】本発明の宙吊り用部材の保持軸の斜視図。
【図６】本発明の宙吊り用部材の板紙の平面図。
【図７】複両面段ボールの断面図。
【図８】ロール状物の宙吊り状態を示す解体斜視図。
【符号の説明】
１  側板
２  保持軸
３  板紙
４  段ボールシート
２１  中しん
２２  ライナー
【図１】
0003813041.tif 000002
【図２】
0003813041.tif 000003
【図３】
0003813041.tif 000004
【図４】
0003813041.tif 000005
【図５】
0003813041.tif 000006
【図６】
0003813041.tif 000007
【図７】
0003813041.tif 000008
【図８】
0003813041.tif 000009